(57)【要約】【課題】撮影の操作をより素早く行なうことができるようにすると共に撮影時の手ぶれを抑制する。【解決手段】互いに隣接して二つのタッチセンサを設け、一方のタッチセンサからの出力信号Ｔ１がＨｉ信号のときには自動焦点合わせ処理を行なうと共に（Ｓ１００，Ｓ１１０）、出力信号Ｔ１がＨｉ信号からＬｏ信号となったときには撮影処理を開始し（Ｓ１２０，Ｓ１７０）、一方のタッチセンサからの出力信号Ｔ１がＬｏ信号となる前に他方のタッチセンサからの出力信号Ｔ２がＨｉ信号となりその後に出力信号Ｔ１がＬｏ信号となったときには撮影をキャンセルする（Ｓ１２０〜１６０）。これにより、一つのタッチセンサの操作だけで自動焦点合わせから撮影までを行なうことができると共に他方のタッチセンサの操作を追加することにより撮影をキャンセルすることもできる。【選択図】図４
2010128198.tif 000002
【特許請求の範囲】
【請求項１】
レンズの焦点距離を自動的に調整する焦点調整部と、シャッター駆動を行なうシャッター駆動部と、を有する撮影装置であって、
第１の検知エリアと第２の検知エリアとを有するタッチセンサと、
前記第１の検知エリアがオンされているときに前記レンズの焦点距離が自動的に調整されるよう前記焦点調整部を制御し、前記第１の検知エリアがオンからオフされたときに前記シャッター駆動が行なわれ前記第１の検知エリアがオンからオフされる前に前記第２の検知エリアがオフからオンされその後に該第２の検知エリアがオンからオフされたときに前記シャッター駆動をキャンセルするよう前記シャッター駆動部を制御する制御手段と、
を備える撮影装置。
【請求項２】
レンズの焦点距離を自動的に調整する焦点調整部と、シャッター駆動を行なうシャッター駆動部と、を有する撮影装置であって、
第１の検知エリアと第２の検知エリアとを有するタッチセンサと、
前記第１の検知エリアがオンされているときに前記レンズの焦点距離が自動的に調整されるよう前記焦点調整部を制御し、前記第１の検知エリアがオンからオフされたときに前記シャッター駆動が行なわれ前記第１の検知エリアがオンからオフされる前に前記第２の検知エリアがオフからオンされたときに前記シャッター駆動をキャンセルするよう前記シャッター駆動部を制御する制御手段と、
を備える撮影装置。
【請求項３】
前記第１の検知エリアと前記第２の検知エリアは、所定の指をスライドさせることにより、該第１の検知エリアがオンからオフされる前に該第２の検知エリアをオフからオンすることができるよう隣接して配置されてなる請求項１または２記載の撮影装置。
【請求項４】
前記所定の指は、人差し指である請求項３記載の撮影装置。
【請求項５】
請求項１ないし４いずれか１項に記載の撮影装置であって、
前記タッチセンサは、第３の検知エリアを有し、
前記制御手段は、前記第３の検知エリアがオンされたときには前記レンズの焦点距離の自動調整を伴って前記シャッターが開状態とされるよう前記シャッター駆動部を制御し、前記第３の検知エリアがオンからオフされたときには前記シャッターが閉状態とされるよう前記シャッター駆動部を制御する長時間露光撮影を行なう手段である
撮影装置。
【発明の詳細な説明】
【技術分野】
【０００１】
本発明は、撮影装置に関し、詳しくは、レンズの焦点距離を自動的に調整する焦点調整部と、シャッター駆動を行なうシャッター駆動部と、を有する撮影装置に関する。
【背景技術】
【０００２】
従来、この種の撮影装置としては、３箇所に設けられた静電容量式のセンサ部により焦点調整とシャッター駆動とを行なうものが提案されている（特許文献１参照）。この装置では、親指が第１のセンサ部に接触すると共に人差し指が第２のセンサ部に接触すると焦点調整を行ない、人差し指を第２のセンサ部から第３のセンサ部に移動させることによりシャッター駆動を行なう。これにより、レリーズボタンを押圧操作することによりシャッター駆動するものに比して手ぶれの発生を抑制することができるとしている。
【０００３】
また、タッチセンサ型のレリーズボタンを２箇所に配置して２つのレリーズボタンにより焦点調整とシャッター駆動とを行なうものも提案されている（特許文献２参照）。この撮影装置では、２つのレリーズボタンの双方に触れると、焦点調整を行ない、一方のレリーズボタンから指を離すことによりシャッター駆動を行なっている。
【特許文献１】特開２００５−５５７２３号公報
【特許文献２】特開平１１−１６０７７６号公報
【発明の開示】
【発明が解決しようとする課題】
【０００４】
しかしながら、上述した撮影装置では、いずれもタッチセンサを用いてレリーズボタン操作を行なうため、手ぶれを抑制することができるものの、焦点調整とシャッター駆動とを２以上のセンサに対する操作を伴うことから、迅速な操作を妨げ、シャッターチャンスを逃す場合も考えられる。
【０００５】
本発明の撮影装置は、撮影時に手ぶれの発生を抑制すると共に焦点調整からシャッター駆動までをシンプルな操作により行なうことを主目的とする。
【課題を解決するための手段】
【０００６】
本発明の撮影装置は、上述の主目的を達成するために以下の手段を採った。
【０００７】
本発明の第１の撮影装置は、
レンズの焦点距離を自動的に調整する焦点調整部と、シャッター駆動を行なうシャッター駆動部と、を有する撮影装置であって、
第１の検知エリアと第２の検知エリアとを有するタッチセンサと、
前記第１の検知エリアがオンされているときに前記レンズの焦点距離が自動的に調整されるよう前記焦点調整部を制御し、前記第１の検知エリアがオンからオフされたときに前記シャッター駆動が行なわれ前記第１の検知エリアがオンからオフされる前に前記第２の検知エリアがオフからオンされその後に該第２の検知エリアがオンからオフされたときに前記シャッター駆動をキャンセルするよう前記シャッター駆動部を制御する制御手段と、
を備えることを要旨とする。
【０００８】
この本発明の第１の撮影装置では、第１の検知エリアと第２の検知エリアとを有するタッチセンサを設け、第１の検知エリアがオンされているときにレンズの焦点距離が自動的に調整されるよう焦点調整部を制御し、第１の検知エリアがオンからオフされたときにシャッター駆動が行なわれ第１の検知エリアがオンからオフされる前に第２の検知エリアがオフからオンされその後に第２の検知エリアがオンからオフされたときにシャッター駆動をキャンセルするようシャッター駆動部を制御する。したがって、第１の検知エリア上の操作だけで焦点調整とシャッター駆動とを行なうことができ、操作をよりシンプルなものとすることができる。また、第１の検知エリアと第２の検知エリアとを用いてシャッター駆動のキャンセル操作を行なうことができる。もとより、シャッター駆動の指示操作の検知にタッチセンサを用いるから、撮影時の手ぶれを抑制することができる。
【０００９】
本発明の第２の撮影装置は、
レンズの焦点距離を自動的に調整する焦点調整部と、シャッター駆動を行なうシャッター駆動部と、を有する撮影装置であって、
第１の検知エリアと第２の検知エリアとを有するタッチセンサと、
前記第１の検知エリアがオンされているときに前記レンズの焦点距離が自動的に調整されるよう前記焦点調整部を制御し、前記第１の検知エリアがオンからオフされたときに前記シャッター駆動が行なわれ前記第１の検知エリアがオンからオフされる前に前記第２の検知エリアがオフからオンされたときに前記シャッター駆動をキャンセルするよう前記シャッター駆動部を制御する制御手段と、
を備えることを要旨とする。
【００１０】
この本発明の第２の撮影装置では、第１の検知エリアと第２の検知エリアとを有するタッチセンサを設け、第１の検知エリアがオンされているときにレンズの焦点距離が自動的に調整されるよう焦点調整部を制御し、第１の検知エリアがオンからオフされたときにシャッター駆動が行なわれ第１の検知エリアがオンからオフされる前に第２の検知エリアがオフからオンされたときにシャッター駆動をキャンセルするようシャッター駆動部を制御する。したがって、第１の検知エリア上の操作だけで焦点調整とシャッター駆動とを行なうことができ、操作をよりシンプルなものとすることができる。また、第１の検知エリアと第２の検知エリアとを用いてシャッター駆動のキャンセル操作を行なうことができる。もとより、シャッター駆動の指示操作の検知にタッチセンサを用いるから、撮影時の手ぶれを抑制することができる。
【００１１】
こうした本発明の第１または第２の撮影装置において、前記第１の検知エリアと前記第２の検知エリアは、所定の指をスライドさせることにより、該第１の検知エリアがオンからオフされる前に該第２の検知エリアをオフからオンすることができるよう隣接して配置されてなるものとすることもできる。こうすれば、より簡易な操作によりシャッター駆動のキャンセル操作を行なうことができる。この場合、前記所定の指は、人差し指であるものとすることもできる。
【００１２】
また、本発明の第１または第２の撮影装置において、前記タッチセンサは、第３の検知エリアを有し、前記制御手段は、前記第３の検知エリアがオンされたときには前記レンズの焦点距離の自動調整を伴って前記シャッターが開状態とされるよう前記シャッター駆動部を制御し、前記第３の検知エリアがオンからオフされたときには前記シャッターが閉状態とされるよう前記シャッター駆動部を制御する長時間露光撮影を行なう手段であるものとすることもできる。こうすれば、タッチセンサを用いて長時間露光撮影も行なうことができるから、手ぶれを抑制することができるという本発明の効果をより顕著なものとすることができる。
【発明を実施するための最良の形態】
【００１３】
図１は本発明の一実施形態であるデジタルカメラ２０の外観を例示する斜視図であり、図２はデジタルカメラ２０の背面を例示する背面図であり、図３はデジタルカメラ２０の機能ブロックを例示するブロック図である。
【００１４】
本実施形態のデジタルカメラ２０は、図１に示すように、正面には光学３倍ズームが可能なズーム機構およびオートフォーカス機構付きレンズ２１と、シャッターと連動して発光する補助照明装置としてのフラッシュ２２とを備え、上部にはモードを選択するモードダイヤル２３と、このモードダイヤル２３の中央に配置された電源ボタン２４と、レンズ２１の自動焦点合わせ（オートフォーカス）を指示する機能を有すると共にシャッターボタンとしても機能するタッチセンサ２５と、キャンセルボタンとして機能するタッチセンサ２６とを備える。また、本実施形態のデジタルカメラ２０は、図２に示すように、背面３０には、中央の左寄りに配置された液晶ディスプレイ３１と、その右側に配置され上下左右の方向に操作可能な４方向ボタン３２と、ズーム機能を操作するＷボタン３４ａおよびＴボタン３４ｂと、４方向ボタン３２の左上に配置されたメニューボタン３５と、４方向ボタン３２の下方左に配置され液晶ディスプレイ３１への表示を切り替えるディスプレイボタン３６と、その右方向に配置されたレビューボタン３８とを備える。
【００１５】
タッチセンサ２５，２６は、例えば、楕円形状のエリア内に人の指などが触れたか否かを蓄えられた電荷によって検知する静電容量式のセンサとして構成されており、人の指などが触れているときにはＨｉ信号（オン）を出力し、触れていないときにはＬｏ信号（オフ）を出力する。このタッチセンサ２５，２６は、例えば、人差し指を両センサの中間点においたときに互いにＨｉ信号を出力する領域を持つよう互いに隣接して配置されている。なお、本実施形態では、タッチセンサ２５，２６を静電容量式のセンサとして構成するものとしたが、人の指が触れているか否かを検知できればよいから、抵抗膜式などの他のタイプのタッチセンサにより構成するものとしてもよい。
【００１６】
本実施形態のデジタルカメラ２０は、機能的には図３に例示するように、中央演算処理装置としてのＣＰＵ４０ａや処理プログラムを記憶するＲＯＭ４０ｂ，一時的にデータを記憶するワークメモリ４０ｃ，設定値などのデータを記憶する不揮発性のフラッシュメモリ４０ｄなどを中心として構成されている。デジタルカメラ２０は、撮影系として、レンズ４１ａ，４１ｂやシャッター４１ｃなどにより構成された光学系４１や、このレンズ４１ａ，４１ｂやシャッター４１ｃをそれぞれ駆動するアクチュエータとしてのモータ４２ａ〜４２ｃと、モータ４２ａ〜４２ｃの駆動回路としてのモータコントローラ４４と、光学系４１により結像される光学像を光電変換して得られる電荷を受光セル毎に一定時間蓄積し受光セル毎の受光量に応じた電気信号を出力するイメージセンサ４５、このイメージセンサ４５を駆動するために必要な駆動パルスをイメージセンサ４５に出力する駆動回路としてのセンサコントローラ４６、イメージセンサ４５から出力される電気信号を量子化してデジタル信号に変換するアナログフロントエンド（ＡＦＥ）部４７、このＡＦＥ部４７から出力されたデジタル信号に対して画像形成処理，ホワイトバランス補正，γ補正，色空間変換等を施して各画素についてＲ，Ｇ，Ｂの階調値やＹ，Ｃｂ，Ｃｒの階調値などを表すデジタル画像を出力するデジタル画像処理部４８、デジタル画像の系列変換（離散コサイン変換やウェーブレット変換等）及びエントロピー符号化（ランレングス符号化やハフマン符号化等）を行なうことによりデジタル画像を圧縮しそれらの逆変換を施すことによりデジタル画像を伸張する圧縮伸張部４９などを備える。また、本実施形態のデジタルカメラ２０は、液晶ディスプレイ３１の一画面分のデータを格納するためのフレームバッファやフレームバッファに格納されたデジタル画像に基づいて液晶ディスプレイ３１を駆動するための表示回路を有するディスプレイコントローラ５０やモードダイヤル２３，タッチセンサ２５，２６，各種ボタン３２〜３８などの入出力および着脱可能なフラッシュメモリなどの記憶媒体５３への入出力を司る入出力インタフェース５２、ＵＳＢ（Universal Serial Bus）接続端子５５に接続された機器（コンピュータやプリンタ）と通信のやり取りを管理するＵＳＢホストコントローラ５４やＵＳＢデバイスコントローラ５６なども備えている。
【００１７】
また、本実施形態のデジタルカメラ２０は、オートフォーカス（自動焦点合わせ）機能を有している。本実施形態では、予めイメージセンサ４５により検出された被写体画像のコントラストを解析して合焦点を割り出し、レンズ４１ａ，４１ｂが合焦点に位置するようモータ４２ａ，４２ｂを駆動するコントラスト式のオートフォーカスを用いるものとした。勿論、このコントラスト式に代えて、被写体に向けて発光すると共に被写体で反射した光を受光することにより三角測距の原理により被写体までの距離を測定し測定した距離に基づいてレンズ４１ａ，４１ｂの焦点合わせを行なう位相差式を用いるものとしてもよいし、これらを組み合わせたハイブリッド式を用いるものとしても構わない。本実施形態では、こうして自動焦点合わせに伴って絞り値とシャッタースピードとの組み合わせを自動的に決定する自動露出調整も行なっている。
【００１８】
次に、こうして構成された本実施形態のデジタルカメラ２０の動作、特に、タッチセンサ２５，２６を用いて焦点合わせをして撮影する際の動作について説明する。図４は、デジタルカメラ２０のＣＰＵ４０ａにより実行される撮影処理ルーチンの一例を示すフローチャートである。
【００１９】
撮影処理ルーチンが実行されると、ＣＰＵ４０ａは、まず、タッチセンサ２５からの出力信号Ｔ１がＨｉ信号となる、即ちタッチセンサ２５に指が触れるのを待ち（ステップＳ１００）、出力信号Ｔ１がＨｉ信号となったときにモータ４２ａ，４２ｂの駆動を伴って被写体の合焦点にレンズ４１ａ，４１ｂが移動するようモータコントローラ４４を制御する自動焦点合わせを行なう（ステップＳ１１０）。本実施形態では、自動焦点合わせに伴って前述した絞りとシャッタースピードとを自動的に決定する自動露出調整も行なわれる。続いて、タッチセンサ２５からの出力信号Ｔ１がＬｏ信号であるか否か即ちタッチセンサ２５に触れていた指が離されたか否かを判定し（ステップＳ１２０）、出力信号Ｔ１がＬｏ信号でないときには、撮影キャンセル用フラグＦに値０を設定しステップＳ１１０に戻る。ステップＳ１２０で出力信号Ｔ１がＬｏ信号となると、タッチセンサ２５に触れていた指が離されたと判定し、タッチセンサ２６からの出力信号Ｔ２がＬｏ信号か否か（ステップＳ１４０）、撮影キャンセル用フラグＦが値０か否かを判定する（ステップＳ１６０）。タッチセンサ２６からの出力信号Ｔ２がＬｏ信号であり且つ撮影キャンセル用フラグＦが値０のときには、撮影を指示する操作がなされていると判断し、撮影処理を開始して（ステップＳ１７０）、本ルーチンを終了する。これにより、モータ４２ｂの駆動を伴ってシャッター４１ｃが自動露出調整で決定されたシャッタースピードに基づいて解放するようモータコントローラ４４を制御すると共にシャッター４１ｃの解放に伴ってイメージセンサ４５で得られた電気信号に基づいてＡＦＥ部４７、デジタル画像処理部４８、圧縮伸張部４９を経て圧縮デジタル画像としてフラッシュメモリ４０ｄに記録される。
【００２０】
ステップＳ１２０でタッチセンサ２５からの出力信号Ｔ１がＬｏ信号のときにステップＳ１４０でタッチセンサ２６からの出力信号Ｔ２がＨｉ信号のとき、撮影キャンセル用フラグＦに値１を設定して（ステップＳ１５０）、ステップＳ１２０に戻る。この処理は、タッチセンサ２５からの出力信号Ｔ１がＬｏ信号となる前にタッチセンサ２６からの出力信号Ｔ２がＨｉ信号となった場合を判定する処理である。本実施形態では、タッチセンサ２５，２６の中間点に人差し指がおかれたときに両出力信号Ｔ１，Ｔ２がＨｉ信号となるよう隣接して配置しているから、例えば、人差し指をタッチセンサ２５からタッチセンサ２６までスライドさせる操作を行なった場合などが該当する。ステップＳ１２０でタッチセンサ２５からの出力信号Ｔ１がＬｏ信号となっている状態でタッチセンサ２６からの出力信号Ｔ２がＬｏ信号で且つ撮影キャンセル用フラグＦが値１のときには、撮影をキャンセルする操作がなされたと判断し、ステップＳ１７０の撮影処理を行なうことなく、撮影キャンセル用フラグＦを値０にクリアして（ステップＳ１８０）、本ルーチンを終了する。なお、タッチセンサ２６からの出力信号Ｔ２がＨｉ信号からＬｏ信号となる前にステップＳ１２０でタッチセンサ２５からの出力信号Ｔ１が再びＨｉ信号となったときには、撮影キャンセル用フラグＦが値０となり（ステップＳ１３０）、自動焦点合わせ処理が再開され（ステップＳ１１０）、その後、出力信号Ｔ１がＨｉ信号からＬｏ信号となったときには、撮影処理が行なわれる。
【００２１】
上述した撮影処理ルーチンでは、タッチセンサ２５に人差し指が触れると、自動焦点合わせを行ない、タッチセンサ２５から人差し指を離すと、シャッター４１ｃが解放されて撮影が開始される。また、撮影をキャンセルする場合には、タッチセンサ２５から人差し指をスライドしてタッチセンサ２６に触れた後にタッチセンサ２６から人差し指を離すことにより行なわれる。したがって、タッチセンサ２５の操作だけで自動焦点合わせから撮影までを行なうことができると共にタッチセンサ２６の操作によりその撮影をキャンセルすることもできる。
【００２２】
ここで、本実施形態の構成要素と本発明の構成要素との対応関係を明らかにする。本実施形態のレンズ４１ａ，４１ｂを駆動するモータ４２ａ，４２ｂが「焦点調整部」に相当し、シャッター４１ｃを駆動するモータ４２ｃが「シャッター駆動部」に相当し、タッチセンサ２５，２６が「タッチセンサ」に相当し、図５の撮影処理ルーチンを実行するＣＰＵ４０ａとモータコントローラ４４とが「制御手段」に相当する。
【００２３】
以上、説明した本実施形態のデジタルカメラ２０によれば、互いに隣接して二つのタッチセンサ２５，２６を設け、タッチセンサ２５からの出力信号Ｔ１がＨｉ信号のときには自動焦点合わせ処理を行なうと共に出力信号Ｔ１がＨｉ信号からＬｏ信号となったときには撮影処理を開始し、タッチセンサ２５からの出力信号Ｔ１がＬｏ信号となる前にタッチセンサ２６からの出力信号Ｔ２がＨｉ信号となりその後に出力信号Ｔ１がＬｏ信号となったときには撮影をキャンセルするから、タッチセンサ２５の操作だけで自動焦点合わせから撮影までを行なうことができると共にタッチセンサ２６の操作を追加することにより撮影をキャンセルすることもできる。この結果、迅速なシャッター操作を行なうことができ、シャッターチャンスを逃がすのを抑制することができる。もとより、指が触れているか否かを検知するタッチセンサ２５，２６を用いるから、従来のような押圧式のシャッターボタンの半押しにより焦点合わせを行ない全押しによりシャッターを開放させて撮影するものに比して、撮影時の手ぶれを抑制することができる。
【００２４】
本実施形態では、撮影をキャンセルする操作は、タッチセンサ２５から指をスライドしてタッチセンサ２６に触れた後にタッチセンサ２６から指を離すことにより行なうものとしたが、タッチセンサ２５から指をスライドしてタッチセンサ２６に触れた時点で行なうものとしてもよい。このときの変形例の撮影処理ルーチンを図５に示す。図５の撮影処理ルーチンでは、図４の撮影処理ルーチンのステップＳ１３０〜Ｓ１６０，Ｓ１８０の処理に代えて、ステップＳ１２０でタッチセンサ２５からの出力信号Ｔ１がＨｉ信号からＬｏ信号となった判定されたときに、タッチセンサ２６からの出力信号Ｔ２がＬｏ信号であるか否かを判定し（ステップＳ１４０Ｂ）、Ｌｏ信号のときには撮影処理を行ない（ステップＳ１７０）、Ｌｏ信号でないとき（Ｈｉ信号のとき）には撮影をキャンセルして処理を終了するものとすればよい。
【００２５】
本実施形態ではタッチセンサ２５をオンすることにより焦点合わせを行なうと共にタッチセンサ２５をオンからオフすることによりシャッター駆動を行なうものとしたが、タッチセンサ２５とは別に長時間露光撮影用のタッチセンサ２７を設けるものとしてもよい。図６に長時間露光撮影用のタッチセンサ２７を備えるデジタルカメラ２０Ｂの外観を示す。図示するように、長時間露光撮影用のタッチセンサ２７は、タッチセンサ２５，２６に直列に並ぶように配置されている。勿論、タッチセンサ２７の配置はこれに限られず如何なる位置であってもよい。この長時間露光撮影用のタッチセンサ２７からの出力信号Ｔ３は、図示しないが、入出力インタフェース５２（図３参照）を介してＣＰＵ４０ａに入力されている。図７は、デジタルカメラ２０のＣＰＵ４０ａにより実行される長時間露光撮影処理ルーチンの一例を示すフローチャートである。このルーチンが実行されると、ＣＰＵ４０ａは、まず、タッチセンサ２７からの出力信号Ｔ３がＨｉ信号となるのを待って（ステップＳ２００）、自動焦点合わせを行なう（ステップＳ２１０）。自動焦点合わせが完了すると（ステップＳ２２０）、シャッター４１ｃを開いて露光を開始し（ステップＳ２３０）、タッチセンサ２７からの出力信号Ｔ３がＨｉ信号からＬｏ信号となるのを待って（ステップＳ２５０）、シャッター４１ｃを閉じて露光を終了し（ステップＳ２６０）、イメージセンサ４５で得られた電気信号を、ＡＦＥ部４７、デジタル画像処理部４８、圧縮伸張部４９を経て圧縮デジタル画像としてフラッシュメモリ４０ｄに記録するデータ記録処理を行なって（ステップＳ２７０）、本処理を終了する。ステップＳ２５０でタッチセンサ２７からの出力信号Ｔ３がＨｉ信号からＬｏ信号となる前に撮影キャンセル用のタッチセンサ２６からの出力信号Ｔ２がＨｉ信号となったときには（ステップＳ２４０）、イメージセンサ４５で得られた電気信号に基づくデータ記録を行なうことなく撮影をキャンセルして（ステップＳ２８０）、本処理を終了する。これにより、夜間などの暗い環境下でも手ぶれの発生を抑制しながらより適切に撮影することができる。
【００２６】
本実施形態では、自動焦点合わせに伴って自動露出調整も行なうものとしたが、露出調整についてはマニュアル操作により設定するものとしても構わない。
【００２７】
本実施形態では、二つのタッチセンサ２５，２６をデジタルカメラ２０の上部に隣接して配置するものとしたが、撮影をキャンセルするためタッチセンサ２６Ｂを背面３０に配置するものとしてもよい。この場合、タッチセンサ２６Ｂを配置する位置としては、撮影のためにデジタルカメラ２０をグリップしたときには親指に触れない位置であって親指の移動によるキャンセル操作がし易い位置、例えば、図８に示すように、背面３０におけるメニューボタン３５の右上周辺の領域に配置することが好ましい。
【００２８】
以上、本発明の実施形態について説明したが、本発明は上述した実施形態に何ら限定されることはなく、本発明の技術的範囲に属する限り種々の態様で実施し得ることは勿論である。
【図面の簡単な説明】
【００２９】
【図１】実施例のデジタルカメラ２０の外観を例示する斜視図。
【図２】実施例のデジタルカメラ２０の背面を例示する背面図。
【図３】実施例のデジタルカメラ２０の機能ブロックを例示するブロック図。
【図４】撮影処理ルーチンの一例を示すフローチャート。
【図５】変形例の撮影処理ルーチンを示すフローチャート。
【図６】変形例のデジタルカメラ２０Ｂの外観を示す斜視図。
【図７】長時間露光撮影処理ルーチンを示すフローチャート。
【図８】変形例のデジタルカメラの背面を例示する背面図。
【符号の説明】
【００３０】
２０  デジタルカメラ、２１  レンズ、２２  フラッシュ、２３  モードダイヤル、２４  電源ボタン、２５，２６  タッチセンサ、３０  背面、３１  液晶ディスプレイ、３２  ４方向ボタン、３４ａ  Ｗボタン、３４ｂ  Ｔボタン、３５  メニューボタン、３６  ディスプレイボタン、３８  レビューボタン、４０ａ  ＣＰＵ、４０ｂ  ＲＯＭ、４０ｃ  ワークメモリ、４０ｄ  フラッシュメモリ、４１  光学系、４１ａ，４１ｂ  レンズ、４１ｃ  シャッター、４２ａ〜４２ｃ  モータ、４４  モータコントローラ、４５  イメージセンサ、４６  センサコントローラ、４７  アナログフロントエンド（ＡＦＥ）部、４８  デジタル画像処理部、４９  圧縮伸張部、５０  ディスプレイコントローラ、５２  入出力インタフェース、５３  記憶媒体、５４  ＵＳＢホストコントローラ、５５  ＵＳＢ接続端子、５６  ＵＳＢデバイスコントローラ。
【図１】
2010128198.tif 000003
【図２】
2010128198.tif 000004
【図３】
2010128198.tif 000005
【図４】
2010128198.tif 000006
【図５】
2010128198.tif 000007
【図６】
2010128198.tif 000008
【図７】
2010128198.tif 000009
【図８】
2010128198.tif 000010